【手続補正書】
【提出日】令和2年4月22日(2020.4.22)
【手続補正１】
【補正対象書類名】特許請求の範囲
【補正対象項目名】全文
【補正方法】変更
【補正の内容】
【特許請求の範囲】
【請求項１】
アクリロイル系コポリマーを合成するための方法であって、
（Ａ）フリーラジカル開始剤にモノマー反復単位、連鎖移動剤、および有機溶媒を含む溶液を供給して、反応混合物を形成することであって、
前記モノマー反復単位が、式（１ａ）を有する第１のモノマー反復単位、式（１ｂ）または（１ｄ）を有する第２のモノマー反復単位、および任意に式（１ｃ）を有する第３のモノマー反復単位を含み、
【化１】
2019515109.tif 000001
式中、
Ｒ１、Ｒ３、Ｒ４、およびＲ５が、各々独立して、二価Ｃ４〜Ｃ７脂肪族基および二価Ｃ４〜Ｃ７ヘテロ脂肪族基から選択され、１つ以上のＣ１〜Ｃ６脂肪族基、独立してＯ、Ｎ、およびＳから選択されるヘテロ原子、またはそれらの組み合わせで任意に置換され、
Ｒ１、Ｒ３、Ｒ４、およびＲ５の前記二価Ｃ４〜Ｃ７ヘテロ脂肪族基が、独立してＯ、Ｎ、およびＳから選択される１個または２個のヘテロ原子を含み、
Ｒ１、Ｒ３、Ｒ４、またはＲ５中のヘテロ原子の最大数が２であり、
前記有機溶媒が、モノエチレングリコール、エタノール、トルエン、またはそれらの組み合わせから選択される、形成することと、
（Ｂ）前記反応混合物中で重合反応を開始させて前記モノマー反復単位を重合させ、それによって前記アクリロイル系コポリマーを合成することと、を含む、方法。
【請求項２】
前記フリーラジカル開始剤が、アゾフリーラジカル開始剤、過酸化物フリーラジカル開始剤、またはそれらの組み合わせから選択される、請求項１に記載の方法。
【請求項３】
前記連鎖移動剤がチオグリコール酸である、請求項１または２に記載の方法。
【請求項４】
前記重合反応を開始させることが、前記反応混合物を１５℃〜７５℃の温度に加熱することを含む、請求項１〜３のいずれか１項に記載の方法。
【請求項５】
前記方法が閉鎖系で実施され、
前記閉鎖系が、前記開始前にパージされる、請求項１〜４のいずれか１項に記載の方法。
【請求項６】
Ｒ１が、二価Ｃ４〜Ｃ６直鎖ヘテロ脂肪族基から選択され、Ｒ４およびＲ５が、各々独立して、二価Ｃ４〜Ｃ６直鎖脂肪族基から選択される、請求項１〜５のいずれか１項に記載の方法。
【請求項７】
前記第２のモノマー反復単位が式（１ｂ）を有し、
Ｒ４およびＲ５が、各々独立して、二価Ｃ４〜Ｃ６直鎖脂肪族基から選択される、請求項１〜６のいずれか１項に記載の方法。
【請求項８】
前記第２のモノマー反復単位が式（１ｄ）を有し、
Ｒ４およびＲ５が、各々独立して、二価Ｃ４〜Ｃ６直鎖脂肪族基から選択される、請求項１〜６のいずれか１項に記載の方法。
【請求項９】
前記モノマー反復単位が、式（１ｃ）を有する第３のモノマー反復単位を含む、請求項１〜８のいずれか１項に記載の方法。
【請求項１０】
Ｒ３が、二価Ｃ４〜Ｃ６直鎖脂肪族基および二価Ｃ４〜Ｃ６直鎖ヘテロ脂肪族基から選択される、請求項１〜９のいずれか１項に記載の方法。
【請求項１１】
前記合成されたアクリロイル系コポリマーが、−ＯＨ、−ＳＨ、−ＮＨ、−ＣＯＯＨ、−ＣＨＯ、および−ＮＯＨから選択される少なくとも１つの末端基を含み、
前記少なくとも１つの末端基が、前記連鎖移動剤を介して決定される、請求項１〜１０のいずれか１項に記載の方法。
【請求項１２】
包接水和物を形成可能な流体中の前記包接水和物の形成を阻害するための方法であって、
前記流体を、請求項１において前記反応混合物中で合成された前記アクリロイル系コポリマーと接触させることを含む、方法。
【請求項１３】
前記流体が、前記アクリロイル系コポリマーを反応生成物から分離することなく、前記反応生成物中で合成された前記アクリロイル系コポリマーと接触される、請求項１２に記載の方法。
【請求項１４】
前記流体が、水ホスト分子と、メタン、エタン、プロパン、ブタン、ペンタン、二酸化炭素、硫化水素、窒素、またはそれらの組み合わせから選択される天然ガスゲスト分子と、を含む、請求項１２または１３に記載の方法。
【請求項１５】
前記流体が、タイインプラットホームで前記アクリロイル系コポリマーと接触される、請求項１２〜１４のいずれか１項に記載の方法。
【手続補正２】
【補正対象書類名】明細書
【補正対象項目名】０１５３
【補正方法】変更
【補正の内容】
【０１５３】
別途定義されない限り、本開示で使用されるすべての技術用語および科学用語は、特許請求される主題が属する技術分野の専門家によって一般に理解されるものと同じ意味を有する。本開示において使用される専門用語は、特定の実施形態を説明するためのものにすぎず、限定することを意図するものではない。本開示および添付の特許請求の範囲で使用される場合、単数形「ａ」、「ａｎ」、および「ｔｈｅ」は、文脈上そうでないとする明確な指示がない限り、複数形も同様に含むことが意図される。
以下、本発明の好ましい実施形態を項分け記載する。
実施形態１
アクリロイル系コポリマーを合成するための方法であって、
（Ａ）フリーラジカル開始剤にモノマー反復単位、連鎖移動剤、および有機溶媒を含む溶液を供給して、反応混合物を形成することであって、
前記モノマー反復単位が、式（１ａ）を有する第１のモノマー反復単位、式（１ｂ）または（１ｄ）を有する第２のモノマー反復単位、および任意に式（１ｃ）を有する第３のモノマー反復単位を含み、
【化２】
2019515109.tif 000002
式中、
Ｒ１、Ｒ３、Ｒ４、およびＲ５が、各々独立して、二価Ｃ４〜Ｃ７脂肪族基および二価Ｃ４〜Ｃ７ヘテロ脂肪族基から選択され、１つ以上のＣ１〜Ｃ６脂肪族基、独立してＯ、Ｎ、およびＳから選択されるヘテロ原子、またはそれらの組み合わせで任意に置換され、
Ｒ１、Ｒ３、Ｒ４、およびＲ５の前記二価Ｃ４〜Ｃ７ヘテロ脂肪族基が、独立してＯ、Ｎ、およびＳから選択される１個または２個のヘテロ原子を含み、
Ｒ１、Ｒ３、Ｒ４、またはＲ５中のヘテロ原子の最大数が２であり、
前記有機溶媒が、モノエチレングリコール、エタノール、トルエン、またはそれらの組み合わせから選択される、形成することと、
（Ｂ）前記反応混合物中で重合反応を開始させて前記モノマー反復単位を重合させ、それによって前記アクリロイル系コポリマーを合成することと、を含む、方法。
実施形態２
前記フリーラジカル開始剤が、アゾフリーラジカル開始剤、過酸化物フリーラジカル開始剤、またはそれらの組み合わせから選択される、実施形態１に記載の方法。
実施形態３
前記フリーラジカル開始剤が、アゾフリーラジカル開始剤である、実施形態１または２に記載の方法。
実施形態４
前記フリーラジカル開始剤が、アゾフリーラジカル開始剤であり、
前記アゾフリーラジカル開始剤が、４，４−アゾビス（４−シアノ吉草酸）である、実施形態１〜３のいずれかに記載の方法。
実施形態５
前記フリーラジカル開始剤が、有機過酸化物フリーラジカル開始剤である、実施形態１または２に記載の方法。
実施形態６
前記フリーラジカル開始剤が、無機過酸化物フリーラジカル開始剤である、実施形態１または２に記載の方法。
実施形態７
前記連鎖移動剤がチオグリコール酸である、実施形態１〜６のいずれかに記載の方法。
実施形態８
前記有機溶媒がモノエチレングリコールである、実施形態１〜７のいずれかに記載の方法。
実施形態９
前記フリーラジカル開始剤が４，４−アゾビス（４−シアノ吉草酸）であり、
前記連鎖移動剤がチオグリコール酸であり、
前記有機溶媒がモノエチレングリコールである、実施形態１〜４または７〜８のいずれかに記載の方法。
実施形態１０
前記重合反応を開始させることが、前記反応混合物を加熱することを含む、実施形態１〜９のいずれかに記載の方法。
実施形態１１
前記反応混合物が１５℃〜７５℃の温度に加熱される、実施形態１０に記載の方法。
実施形態１２
前記方法が閉鎖系で実施され、
前記閉鎖系が、前記開始前にパージされる、実施形態１〜１１のいずれかに記載の方法。
実施形態１３
前記重合反応の反応時間が１０分〜６０分である、実施形態１〜１２のいずれかに記載の方法。
実施形態１４
Ｒ１が、二価Ｃ４〜Ｃ６直鎖脂肪族基および二価Ｃ４〜Ｃ６直鎖ヘテロ脂肪族基から選択される、実施形態１〜１３のいずれかに記載の方法。
実施形態１５
Ｒ１が、二価Ｃ４〜Ｃ６直鎖ヘテロ脂肪族基から選択される、実施形態１〜１４のいずれかに記載の方法。
実施形態１６
Ｒ４およびＲ５が、各々独立して、二価Ｃ４〜Ｃ６直鎖脂肪族基および二価Ｃ４〜Ｃ６直鎖ヘテロ脂肪族基から選択される、実施形態１〜１５のいずれかに記載の方法。
実施形態１７
Ｒ４およびＲ５が、各々独立して、二価Ｃ４〜Ｃ６直鎖脂肪族基から選択される、実施形態１〜１６のいずれかに記載の方法。
実施形態１８
Ｒ４およびＲ５が、１つ以上のＣ１〜Ｃ３脂肪族基で置換されている、実施形態１〜１７のいずれかに記載の方法。
実施形態１９
Ｒ４およびＲ５が、各々独立して、二価Ｃ４〜Ｃ６直鎖脂肪族基から選択され、
Ｒ４およびＲ５が、１つ以上のＣ１〜Ｃ３脂肪族基で置換されている、実施形態１〜１８のいずれかに記載の方法。
実施形態２０
Ｒ４およびＲ５が、独立してＯ、Ｎ、およびＳから選択されるヘテロ原子で置換されている、実施形態１〜１９のいずれかに記載の方法。
実施形態２１
前記第２のモノマー反復単位が式（１ｂ）を有し、
Ｒ４が、二価Ｃ４〜Ｃ６直鎖脂肪族基および二価Ｃ４〜Ｃ６直鎖ヘテロ脂肪族基から選択される、実施形態１〜１５のいずれかに記載の方法。
実施形態２２
前記第２のモノマー反復単位が式（１ｄ）を有し、
Ｒ５が、二価Ｃ４〜Ｃ６直鎖脂肪族基および二価Ｃ４〜Ｃ６直鎖ヘテロ脂肪族基から選択される、実施形態１〜１５のいずれかに記載の方法。
実施形態２３
前記第２のモノマー反復単位が式（１ｂ）を有し、
Ｒ４が、二価Ｃ４〜Ｃ６直鎖脂肪族基から選択される、実施形態１〜１５のいずれかに記載の方法。
実施形態２４
前記第２のモノマー反復単位が式（１ｄ）を有し、
Ｒ５が、二価Ｃ４〜Ｃ６直鎖脂肪族基から選択される、実施形態１〜１５のいずれかに記載の方法。
実施形態２５
前記第２のモノマー反復単位が式（１ｄ）を有し、
Ｒ５が、二価Ｃ４〜Ｃ６直鎖脂肪族基および二価Ｃ４〜Ｃ６直鎖ヘテロ脂肪族基から選択され、
Ｒ５が、独立してＯ、Ｎ、およびＳから選択される１個のヘテロ原子で置換されている、実施形態１〜１５のいずれかに記載の方法。
実施形態２６
前記モノマー反復単位が、式（１ｃ）を有する第３のモノマー反復単位を含む、実施形態１〜２５のいずれかに記載の方法。
実施形態２７
前記モノマー反復単位が、式（１ｃ）を有する前記第３のモノマー反復単位を含み、
Ｒ３が、二価Ｃ４〜Ｃ６直鎖脂肪族基および二価Ｃ４〜Ｃ６直鎖ヘテロ脂肪族基から選択される、実施形態１〜２６のいずれかに記載の方法。
実施形態２８
前記モノマー反復単位が、式（１ｃ）を有する前記第３のモノマー反復単位を含み、
Ｒ１が、二価Ｃ４〜Ｃ６直鎖脂肪族基および二価Ｃ４〜Ｃ６直鎖ヘテロ脂肪族基から選択され、
Ｒ３が、二価Ｃ４〜Ｃ６直鎖脂肪族基および二価Ｃ４〜Ｃ６直鎖ヘテロ脂肪族基から選択され、
Ｒ４およびＲ５が、各々独立して、二価Ｃ４〜Ｃ６直鎖脂肪族基および二価Ｃ４〜Ｃ６直鎖ヘテロ脂肪族基から選択される、実施形態１〜１３のいずれかに記載の方法。
実施形態２９
前記反応混合物中で合成された前記アクリロイル系コポリマーが、包接水和物阻害のためにプライミングされる、実施形態１〜２８のいずれかに記載の方法。
実施形態３０
包接水和物を形成可能な流体中の前記包接水和物の形成を阻害するための方法であって、
前記流体を、実施形態１において前記反応混合物中で合成された前記アクリロイル系コポリマーと接触させることを含む、方法。
実施形態３１
前記流体が、前記アクリロイル系コポリマーを反応生成物から分離することなく、前記反応生成物中で合成された前記アクリロイル系コポリマーと接触される、実施形態３０に記載の方法。
実施形態３２
前記分離が、前記反応生成物を洗浄することまたは前記反応生成物を凍結乾燥することのうちの少なくとも一方を含む、実施形態３１に記載の方法。
実施形態３３
前記流体が、水ホスト分子と、メタン、エタン、プロパン、ブタン、ペンタン、二酸化炭素、硫化水素、窒素、またはそれらの組み合わせから選択される天然ガスゲスト分子と、を含む、実施形態３０〜３２のいずれかに記載の方法。
実施形態３４
前記流体が酸性ガスゲスト分子を含む、実施形態３０〜３３のいずれかに記載の方法。
実施形態３５
前記流体が、二酸化炭素、硫化水素、窒素、またはそれらの組み合わせから選択される天然ガスゲスト分子を含む、実施形態３０〜３４のいずれかに記載の方法。
実施形態３６
前記流体が、メタン、エタン、プロパン、ブタン、二酸化炭素、硫化水素、および窒素ガスゲスト分子を含む、実施形態３０〜３５のいずれかに記載の方法。
実施形態３７
前記包接水和物が、ＳＩ包接水和物、ＳＩＩ包接水和物、ＳＨ包接水和物、またはそれらの組み合わせを含み、
前記接触が、前記ＳＩ包接水和物、前記ＳＩＩ包接水和物、前記ＳＨ包接水和物、またはそれらの組み合わせの形成を阻害する、実施形態３０〜３６のいずれかに記載の方法。
実施形態３８
前記接触が、０℃〜４．０℃の第１の過冷却温度で前記包接水和物の前記形成を阻害する、実施形態３０〜３７のいずれかに記載の方法。
実施形態３９
前記接触が、４．０℃〜５．６℃の第２の過冷却温度で前記包接水和物の前記形成を阻害する、実施形態３０〜３８のいずれかに記載の方法。
実施形態４０
前記接触が、４０バール〜２００バールの圧力範囲で前記包接水和物の前記形成を阻害する、実施形態３０〜３９のいずれかに記載の方法。
実施形態４１
前記流体が、前記合成されたアクリロイル系コポリマーと、腐食防止剤とを含む組成物と接触される、実施形態３０〜４０のいずれかに記載の方法。
実施形態４２
前記流体がブラインである、実施形態３０〜４１のいずれかに記載の方法。
実施形態４３
前記流体が、タイインプラットホームで前記アクリロイル系コポリマーと接触される、実施形態３０〜４２のいずれかに記載の方法。
実施形態４４
前記流体がパイプラインを流れている、実施形態３０〜４３のいずれかに記載の方法。
実施形態４５
前記合成されたアクリロイル系コポリマーが、−ＯＨ、−ＳＨ、−ＮＨ、−ＣＯＯＨ、−ＣＨＯ、および−ＮＯＨから選択される少なくとも１つの末端基を含み、
前記少なくとも１つの末端基が、前記連鎖移動剤を介して決定される、実施形態１〜４４のいずれかに記載の方法。